(57)【要約】      （修正有）【課題】点灯強度を強くすることができる有機ＥＬ照明装置を提供する。【解決手段】複数枚の有機ＥＬパネルＰ１〜Ｐ５と、複数枚の有機ＥＬパネルが厚み方向で間隔を置いて重なるように配置された状態で保持する保持体と、を備え、複数枚の有機ＥＬパネルのそれぞれは、略同一の大きさの矩形状に構成され、保持体は４つの壁部１〜４を有する矩形状に構成され、４つの壁部のうちの少なくとも相対向する２つの壁部に、複数枚の有機ＥＬパネルを係止する溝１Ｍ〜４Ｍが形成されてなる。【選択図】図６
0003210912.tif 000002
【実用新案登録請求の範囲】
【請求項１】
複数枚の有機ＥＬパネルと、該複数枚の有機ＥＬパネルが厚み方向で間隔を置いて重なるように配置された状態で保持する保持体と、を備えてなる有機ＥＬ照明装置。
【請求項２】
前記複数枚の有機ＥＬパネルのそれぞれは、略同一の大きさの矩形状に構成され、前記保持体が、４つの壁部を有する矩形環状に構成され、該保持体の４つの壁部のうちの少なくとも相対向する２つの壁部の内面に、前記複数枚の有機ＥＬパネルと係止する溝が形成されていることを特徴とする請求項１に記載の有機ＥＬ照明装置。
【請求項３】
前記複数枚の有機ＥＬパネルのうちの一方の有機ＥＬパネルの発光領域が、他方の有機ＥＬパネルの発光領域と一部が異なる又は全部が異なるように、該複数の有機ＥＬパネルを構成していることを特徴とする請求項１又は２に記載の有機ＥＬ照明装置。
【請求項４】
前記複数枚の有機ＥＬパネルが、３枚以上の有機ＥＬパネルから構成され、該各有機ＥＬパネルが、発光状態と非発光状態とに切り換え自在に構成されていることを特徴とする請求項１〜３のいずれか１項に記載の有機ＥＬ照明装置。
【請求項５】
前記４つの壁部の内面全てに、前記複数枚の有機ＥＬパネルを係止する前記溝が形成され、前記４つの壁部のうちの３つの壁部が一体化されて一端が開放された門型状に構成された第１壁体と、門型状の第１壁体の開放端から前記各有機ＥＬパネルを挿入して該第１壁体を構成する３つの壁部の溝に係止して保持した状態で、該第１壁体の開放端を閉じる１つの壁部からなる第２壁体と、を備えていることを特徴とする請求項２〜４のうちのいずれか１項に記載の有機ＥＬ照明装置。
【請求項６】
複数枚の有機ＥＬパネルが保持された前記保持体が自立可能に構成されていることを特徴とする請求項１〜５のいずれか１項に記載の有機ＥＬ照明装置。
【考案の詳細な説明】
【技術分野】
【０００１】
本考案は、有機ＥＬ素子を有する有機ＥＬパネルを備えた有機ＥＬ照明装置に関する。
【背景技術】
【０００２】
一般的に、有機ＥＬパネルを構成する自発光型の有機ＥＬ素子は、ＥＬ（エレクトロルミネッセンス）現象を利用しているので、発熱が少なく、また、薄型で軽量である。また、有機ＥＬ素子は、無機ＥＬ素子に比較して色の選択が容易で、駆動電圧が低くて省電力である等、種々の利点を有している。
【０００３】
上記有機ＥＬ素子を有する有機ＥＬ照明装置としては、有機ＥＬパネルと、有機ＥＬパネルを上方から差し込んで装着するソケット部を有する点灯装置と、を備えたものが既に提案されている（例えば、特許文献１参照）。
【先行技術文献】
【特許文献】
【０００４】
【特許文献１】特開２００７−１７３０８８号公報
【考案の概要】
【考案が解決しようとする課題】
【０００５】
上記有機ＥＬ照明装置では、１枚の有機ＥＬパネルを発光させて照らす構成であるため、点灯強度に限界があり、早期改善が要望されている。
【０００６】
そこで、本考案は、かかる事情に鑑みてなされたもので、点灯強度を強くすることができる有機ＥＬ照明装置を提供することを課題とする。
【課題を解決するための手段】
【０００７】
本考案に係る有機ＥＬ照明装置は、複数枚の有機ＥＬパネルと、該複数枚の有機ＥＬパネルが厚み方向で間隔を置いて重なるように配置された状態で保持する保持体と、を備えてなることを特徴とする。
【０００８】
本考案によれば、複数枚の有機ＥＬが厚み方向で間隔を置いて重なるように配置されているので、発光される光が重なり合うことによって、点灯強度を強くすることができる。また、有機ＥＬパネルは薄型で軽量化を図ることができるため、取り扱い面において有利になる。
【０００９】
また、本考案に係る有機ＥＬ照明装置は、前記複数枚の有機ＥＬパネルのそれぞれは、略同一の大きさの矩形状に構成され、前記保持体が、４つの壁部を有する矩形環状に構成され、該保持体の４つの壁部のうちの少なくとも相対向する２つの壁部の内面に、前記複数枚の有機ＥＬパネルと係止する溝が形成されていてもよい。
【００１０】
上記のように、保持体の４つの壁部のうちの少なくとも相対向する２つの壁部の内面に、複数枚の有機ＥＬパネルと係止する溝が形成されているので、相対向する２つの壁部の溝に、複数枚の有機ＥＬパネルの２辺を係止するだけで、複数枚の有機ＥＬパネルを保持体に迅速に保持させることができる。
【００１１】
また、本考案に係る有機ＥＬ照明装置は、前記複数枚の有機ＥＬパネルのうちの一方の有機ＥＬパネルの発光領域が、他方の有機ＥＬパネルの発光領域と一部が異なる又は全部が異なるように、該複数の有機ＥＬパネルを構成していてもよい。
【００１２】
上記のように、一方の有機ＥＬパネルの発光領域が、他方の有機ＥＬパネルの発光領域と一部が異なる又は全部が異なるように、複数の有機ＥＬパネルを構成することによって、厚み方向で並ぶ複数枚の有機ＥＬパネルから発する光が、厚み方向で重なり合う。これにより、奥行き感のある立体的な光になり、意匠性を高めることができる。
【００１３】
また、本考案に係る有機ＥＬ照明装置は、前記複数枚の有機ＥＬパネルが、３枚以上の有機ＥＬパネルから構成され、該各有機ＥＬパネルが、発光状態と非発光状態とに切り換え自在に構成されていてもよい。
【００１４】
上記のように、３枚以上の各有機ＥＬパネルを発光状態と非発光状態とに切り換えることによって、点灯強度を強くする、又は弱くすることができる。
【００１５】
また、本考案に係る有機ＥＬ照明装置は、前記４つの壁部の内面全てに、前記複数枚の有機ＥＬパネルを係止する前記溝が形成され、前記４つの壁部のうちの３つの壁部が一体化されて一端が開放された門型状に構成された第１壁体と、門型状の第１壁体の開放端から前記各有機ＥＬパネルを挿入して該第１壁体を構成する３つの壁部の溝に係止した状態で、該第１壁体の開放端を閉じる１つの壁部からなる第２壁体と、を備えていてもよい。
【００１６】
上記のように、第１壁体に各有機ＥＬパネルを挿入するだけで３つの壁部の溝に係止して有機ＥＬパネルを保持させることができる。そして、３つの壁部の溝に係止して有機ＥＬパネルを保持させた状態において第２壁体で第１壁体の開放端を閉じることによって、有機ＥＬ照明装置を迅速に完成することができる。
【００１７】
また、本考案に係る有機ＥＬ照明装置は、複数枚の有機ＥＬパネルが保持された前記保持体が自立可能に構成されていてもよい。
【００１８】
上記のように、保持体が自立可能に構成されているので、平坦面であれば、どこにでも有機ＥＬ照明装置を置いて使用することができる。
【考案の効果】
【００１９】
以上の如く、本考案によれば、複数枚の有機ＥＬパネルが厚み方向で間隔を置いて重なるように配置されることで、点灯強度を強くすることができる有機ＥＬ照明装置を提供することができる。
【図面の簡単な説明】
【００２０】
【図１】本考案の有機ＥＬ照明装置の正面図である。
【図２】同有機ＥＬ照明装置の側面図である。
【図３】同有機ＥＬ照明装置の底面図である。
【図４】図２におけるＩＶ−ＩＶ線断面図である。
【図５】図１におけるＶ−Ｖ線断面図である。
【図６】同有機ＥＬ照明装置の分解斜視図である。
【図７】同有機ＥＬ照明装置の斜視図である。
【考案を実施するための形態】
【００２１】
以下、本考案に係る有機ＥＬ照明装置の一実施形態について、図面に基づいて説明する。
【００２２】
有機ＥＬ照明装置は、図１〜図５に示すように、複数枚（ここでは５枚）の有機ＥＬパネルＰ１〜Ｐ５と、５枚の有機ＥＬパネルＰ１〜Ｐ５が厚み方向で間隔（略同一間隔）を置いて重なるように配置された状態で保持する保持体Ｒと、を備えている。このように、複数枚（５枚）の有機ＥＬパネルＰ１〜Ｐ５が厚み方向で間隔を置いて重なるように配置されているので、発光される光が重なり合うことによって、点灯強度を強くすることができる。また、有機ＥＬパネルは薄型で軽量化を図ることができるため、取り扱い面において有利になる。更にまた、この有機ＥＬ照明装置は、５枚の有機ＥＬパネルＰ１〜Ｐ５が保持された保持体Ｒが自立可能に構成されており、平坦面であれば、どこにでも有機ＥＬ照明装置を置いて使用することができるように構成されている。例えば、ベッドの脇において使用するベッドサイドランプとして使用することができる。
【００２３】
有機ＥＬパネルＰ１〜Ｐ５は、自発光型の有機ＥＬ素子を有している。この有機ＥＬ素子は、一般的に、透明な基板面にＩＴＯ等からなる透明電極が例えばスパッタリング法により形成される。その上に有機材料による発光機能層、及びアルミニウム等の素材を主体とした金属製の背面電極が例えば真空蒸着法を利用して成形される。
【００２４】
上記構成による有機ＥＬ素子は、発光機能層からの光が透明電極及び透明素材による基板を介して外部に導出されるように構成されている。また、有機ＥＬ素子の発光色は、白色の他、発光機能層の材料を選択することで好みの各種の発光色にすることができる。
【００２５】
複数枚の有機ＥＬパネルＰ１〜Ｐ５のそれぞれは、略同一の大きさの矩形状に構成され、保持体Ｒが、同一形状で同一の大きさに構成された木製（金属製や合成樹脂製でもよい）の４つの壁部１，２，３，４を環状に組んで矩形環状の枠体に構成されている。また、保持体Ｒの４つの壁部、上側の壁部１、左側の壁部２、右側の壁部３、下側の壁部４の内面全てに、５枚の略正方形状の有機ＥＬパネルＰ１〜Ｐ５の４辺をそれぞれ係止する溝１Ｍ，２Ｍ，３Ｍ，４Ｍが形成されている。各壁部１…に形成された溝１Ｍ…は、壁部１…の長手方向に沿って形成され、かつ、壁部１…の短手方向に同一間隔を置いて５つ形成されている。図１において、各壁部１…が、正面視略台形状に構成され、図５において、上端部における短手方向両端部それぞれの角部を削ってテーパー面１Ｔ…を形成している。これら４つの壁部１〜４の長手方向両端の斜面同士、例えば図１において上側の壁部１の両端の斜面１Ｓ，１Ｓを左右の壁部２，３の一端の斜面２Ｓ，３Ｓに当接することによって、略正方形状の枠体を構成するようにしている。このように、保持体Ｒの４つの壁部１…全てに、複数枚の有機ＥＬパネルＰ１…の４辺をそれぞれ係止する溝１Ｍ…が形成されているので、複数枚の有機ＥＬパネルＰ１…の４辺を対応する溝１Ｍ…に係止するだけで、複数枚の有機ＥＬパネルＰ１…を保持体Ｒに迅速に保持させることができる。
【００２６】
そして、図６に示すように、４つの壁部１〜４のうちの３つの壁部１，２，３が一体化されて一端（下端）が開放された門型状に構成された第１壁体５と、門型状の第１壁体５の開放端から各有機ＥＬパネルＰ１…を挿入して第１壁体５を構成する３つの壁部１，２，３の溝１Ｍ，２Ｍ，３Ｍに係止して保持した状態で、第１壁体５の開放端を閉じる１つの下側の壁部４からなる第２壁体６と、を備えている。図４では、上側に位置する上側の壁部１と、左右両側に位置する左右の壁部２，３と、がジョイントプレート（ビスケット）７により結合されている。そして、図６に示すように、３つの壁部１，２，３が一体化された第１壁体５に下方から５枚の有機ＥＬパネルＰ１〜Ｐ５を３つの壁部１，２，３の溝１Ｍ，２Ｍ，３Ｍに係止しながら挿入する。５枚の有機ＥＬパネルＰ１〜Ｐ５を挿入した後、第１壁体５の開口を閉じるように第２壁体６を下から被せた後、図３及び図４に示すように、複数（ここでは４本）のビス８により第２壁体６を第１壁体５に固定している。このように、第１壁体５に各有機ＥＬパネルＰ１…を挿入するだけで３つの壁部１，２，３の溝１Ｍ，２Ｍ，３Ｍに係止して５枚の有機ＥＬパネルＰ１〜Ｐ５を保持させることができる。そして、３つの壁部１，２，３の溝１Ｍ，２Ｍ，３Ｍに係止して５枚の有機ＥＬパネルＰ１〜Ｐ５を保持させた状態において第２壁体６で第１壁体５の開放端を閉じることによって、有機ＥＬ照明装置を迅速に完成することができる。尚、図６では、有機ＥＬパネルＰ１〜Ｐ５を第１壁体５へ下方から入れる場合を示しているが、第１壁体５を上下逆にして第１壁体５に上方から容易に入れることができるようにしてもよい。
【００２７】
前記５枚の有機ＥＬパネルＰ１〜Ｐ５の全ての全面を発光するように構成して発光強度を飛躍的に強くする他、図７に示すように、有機ＥＬパネルＰ１の発光領域が、他の有機ＥＬパネルＰ２，Ｐ３，Ｐ４，Ｐ５の発光領域と全部が異なる（又は一部が異なる）ように、５枚の有機ＥＬパネルＰ１〜Ｐ５を構成している。このように構成することによって、インテリアとして好適に使用できる有機ＥＬ照明装置を構成することができる。図７では、最も前側に位置する第１有機ＥＬパネルＰ１の左右幅方向に間隔をおいて高さの異なる建物を連想するような５つの発光像（発光像以外の部分は発光していない）１１を示している。また、第１有機ＥＬパネルＰ１の直後方に位置する第２有機ＥＬパネルＰ２の３つの発光像（発光像以外の部分は発光していない）１２を示し、第２有機ＥＬパネルＰ２の直後方に位置する第３有機ＥＬパネルＰ３の２つの発光像（発光像以外の部分は発光していない）１３を示し、第３有機ＥＬパネルＰ３の直後方に位置する第４有機ＥＬパネルＰ４の１つの発光像（発光像以外の部分は発光していない）１４を示している。尚、第５有機ＥＬパネルＰ５の発光像は図示していない。このように、一方（最も前側）の有機ＥＬパネルＰ１の発光領域が、他方（直後方）の有機ＥＬパネルＰ２の発光領域と全部が異なる（又は一部が異なる）ように、複数の有機ＥＬパネルＰ１…を構成することによって、厚み方向で並ぶ複数枚の有機ＥＬパネルＰ１…から発する光が、厚み方向で重なり合う。これにより、奥行き感のある立体的な光になり、意匠性を高めることができる。
【００２８】
また、各有機ＥＬパネルＰ１…が、発光状態と非発光状態とに切り換え自在に構成されている。このように、５枚の各有機ＥＬパネルＰ１〜Ｐ５のうちの１枚〜４枚までの特定枚数の有機ＥＬパネルを発光状態と非発光状態とに切り換えることによって、点灯強度を強くする、又は弱くすることができる。
【００２９】
図１、図３及び図５に示すように、底部を構成する下側に位置する壁部４の下面（底面）の四隅に、ゴム（合成樹脂や金属でもよい）からなる略半球状の脚９が取り付けられている。また、底部を構成する下側に位置する壁部４の溝４Ｍには、溝４Ｍに係止される有機ＥＬパネルＰ１…に備える正負の電極（図示せず）が接続される一対の端子板（図示せず）を備えている。また、図２及び図４に示すように、左右方向一方側（右側）の壁部３に備えるアダプターソケット１０に図示しない電源からの電力が供給されることによって、複数の有機ＥＬパネルＰ１…の電極と端子板とが通電状態になり、複数の有機ＥＬパネルＰ１…が発光状態になる。また、底部を構成する下側に位置する壁部４の内部には、端子板に接続される電線（図示せず）や制御用基板（図示せず）等を収容するための下方が開放された凹部４Ｈが形成され、長方形状の蓋１５により閉じられた空間を形成している。この蓋１５は、図３及び図４に示すように、前述したビス８により壁部４に対して着脱可能に固定されている。
【００３０】
尚、本考案は、前記実施形態に限定されるものではなく、本考案の要旨を逸脱しない範囲で種々の変更が可能である。
【００３１】
前記実施形態では、保持体Ｒを構成する４つの壁部１，２，３，４の全てに、溝１Ｍ，２Ｍ，３Ｍ，４Ｍを形成したが、４つの壁部１，２，３，４のうちの相対向する２つの壁部のみに溝を形成してもよい。
【００３２】
また、前記実施形態では、５枚の有機ＥＬパネルＰ１を備えた有機ＥＬ照明装置であったが、２枚、３枚、４枚、６枚以上の有機ＥＬパネルを備えた有機ＥＬ照明装置であってもよい。
【００３３】
また、前記実施形態では、保持体Ｒが４つの壁部を有する枠体から構成したが、左右方向に配置した左右一対の壁部で複数枚の有機ＥＬパネルＰ１…を保持するように構成してもよいし、上下方向に配置した上下一対の壁部で複数枚の有機ＥＬパネルＰ１…を保持するように構成してもよい。また、枠体ではなく、箱状のケーシングで複数枚の有機ＥＬパネルＰ１…を保持するように構成してもよい。
【００３４】
また、前記実施形態では、第２壁体６をビス８により第１壁体５に固定したが、係脱自在な係止構造により第２壁体６を第１壁体５から迅速に取り外しできるように構成してもよい。このように構成すれば、複数枚の有機ＥＬパネルＰ１…の清掃や点検の他、有機ＥＬパネルの取替等を迅速に行うことができる。
【００３５】
また、前記実施形態では、自立式の有機ＥＬ照明装置を示したが、ワイヤー等を用いて吊下げて使用する吊下げ式の有機ＥＬ照明装置であってもよい。
【符号の説明】
【００３６】
１〜４…壁部、１Ｍ〜４Ｍ…溝、１Ｓ，２Ｓ，３Ｓ…斜面、１Ｔ…テーパー面、４Ｈ…凹部、５…第１壁体、６…第２壁体、７…ジョイントプレート（ビスケット）、８…ビス、９…脚、１０…アダプターソケット、１１〜１４…発光像、１５…蓋、Ｐ１〜Ｐ５…パネル、Ｒ…保持体
【図１】
0003210912.tif 000003
【図２】
0003210912.tif 000004
【図３】
0003210912.tif 000005
【図４】
0003210912.tif 000006
【図５】
0003210912.tif 000007
【図６】
0003210912.tif 000008
【図７】
0003210912.tif 000009
【手続補正書】
【提出日】平成29年4月5日(2017.4.5)
【手続補正１】
【補正対象書類名】実用新案登録請求の範囲
【補正対象項目名】請求項５
【補正方法】変更
【補正の内容】
【請求項５】
前記４つの壁部の内面全てに、前記複数枚の有機ＥＬパネルを係止する前記溝が形成され、前記４つの壁部のうちの３つの壁部が一体化されて一端が開放された門型状に構成された第１壁体と、門型状の第１壁体の開放端から前記各有機ＥＬパネルを挿入して該第１壁体を構成する３つの壁部の溝に係止して保持した状態で、該第１壁体の開放端を閉じる１つの壁部からなる第２壁体と、を備えていることを特徴とする請求項２に記載の有機ＥＬ照明装置。